【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
検索を実行するシステムであって、
少なくとも１つの検索クエリおよび／または少なくとも１つの検索意図を受け取る入力コンポーネントと、
１つまたは複数の前記検索クエリおよび／または１つまたは複数の前記検索意図に関連する結果を取得し、自動的に導き出されたクエリグラフを提供する検索コンポーネントと
を備えることを特徴とするシステム。
【請求項２】
前記クエリグラフは、ナビゲート可能なグラフを含むことを特徴とする請求項１に記載のシステム。
【請求項３】
前記クエリグラフは、少なくとも１つのクエリのリストを含むことを特徴とする請求項１に記載のシステム。
【請求項４】
前記クエリグラフは、２次元より多い次元を有するグラフを含むことを特徴とする請求項１に記載のシステム。
【請求項５】
前記次元のうちの１つは時間を表すことを特徴とする請求項４に記載のシステム。
【請求項６】
前記クエリグラフは、類似性、人気、新規性、および／または品質を介して構成される関連したクエリを含むグラフを含むことを特徴とする請求項１に記載のシステム。
【請求項７】
前記クエリグラフは、類似性、人気、新規性、および／または品質を介して構成される検索意図の表現を含むグラフを含むことを特徴とする請求項１に記載のシステム。
【請求項８】
前記クエリグラフは、１つまたは複数の前記クエリおよび／または１つまたは複数の前記検索意図と、前記クエリグラフ中において利用される少なくとも１つの関連したクエリおよび／または少なくとも１つの関連した検索意図との間の関係を示すグラフを含むことを特徴とする請求項１に記載のシステム。
【請求項９】
前記検索コンポーネントは、１つまたは複数の前記検索クエリおよび／または１つまたは複数の前記検索意図に関連する少なくとも１つの検索結果を提供することを特徴とする請求項１に記載のシステム。
【請求項１０】
前記検索コンポーネントは、少なくとも１つの情報ソースを利用して、１つまたは複数の前記クエリおよび／または１つまたは複数の前記検索意図に関連する前記結果を取得し、前記自動的に導き出されたクエリグラフを提供することを特徴とする請求項１に記載のシステム。
【請求項１１】
前記情報ソースは、クエリログ、構成されたクエリリスト、および／または検索エンジンを含むことを特徴とする請求項１０に記載のシステム。
【請求項１２】
前記検索コンポーネントは、クエリセッション情報を使用して、前記クエリグラフを導き出すことを助けることを特徴とする請求項１に記載のシステム。
【請求項１３】
前記クエリセッション情報は、即時のユーザクエリおよび／または少なくとも１つ以前のユーザクエリに基づいて関連したクエリの類似性情報を少なくとも部分的に含むことを特徴とする請求項１２に記載のシステム。
【請求項１４】
前記検索コンポーネントは、ユーザプリファランスを利用して、前記クエリグラフを導き出すことを助けることを特徴とする請求項１に記載のシステム。
【請求項１５】
前記ユーザプリファランスは、直接のプリファランスおよび／または導き出されるプリファランスを含むことを特徴とする請求項１４に記載のシステム。
【請求項１６】
前記導き出されるプリファランスは、少なくとも１人の他のユーザおよび／またはユーザに類似したユーザのグループから導き出される情報に基づいたプリファランスを含むことを特徴とする請求項１５に記載のシステム。
【請求項１７】
前記検索コンポーネントによって導き出された前記クエリグラフをユーザがナビゲートすることを助けるユーザインターフェースコンポーネントをさらに備えることを特徴とする請求項１に記載のシステム。
【請求項１８】
前記ユーザインターフェースコンポーネントは、ユーザが、少なくとも１つのクエリ、検索意図、および／または検索結果を選択できるようにすることを特徴とする請求項１７に記載のシステム。
【請求項１９】
前記検索コンポーネントは、前記ユーザインターフェースコンポーネントと相互作用して、クエリグラフ内のユーザ選択に応答してクエリグラフおよび／またはクエリ結果を提供することを特徴とする請求項１７に記載のシステム。
【請求項２０】
前記ユーザ選択は、クエリグラフの複数のノードを含むことを特徴とする請求項１９に記載のシステム。
【請求項２１】
前記ユーザ選択は、クエリグラフのノードおよび／またはエッジ上でホバリングすること、クエリグラフのノードおよび／またはエッジ上でポインティングデバイスをクリックすること、クエリグラフのノードおよび／またはエッジを可視的に指示すること、および／またはクエリグラフのノードおよび／またはエッジを可聴的に指示することを介した選択を含むことを特徴とする請求項１９に記載のシステム。
【請求項２２】
検索を実行するための方法であって、
少なくとも１つの検索クエリおよび／または少なくとも１つの検索意図を受信するステップと、
１つまたは複数の前記検索クエリおよび／または１つまたは複数の前記検索意図に関連する結果からクエリグラフを自動的に導き出すステップと
を含むことを特徴とする方法。
【請求項２３】
１つまたは複数の前記検索クエリおよび／または１つまたは複数の前記検索意図の周囲に、導き出された前記クエリグラフをほぼ集中させるステップをさらに含むことを特徴とする請求項２２に記載の方法。
【請求項２４】
ナビゲート可能なクエリグラフを提供するステップをさらに含むことを特徴とする請求項２２に記載の方法。
【請求項２５】
前記クエリグラフを導き出すステップは、
受信した１つまたは複数の前記検索クエリおよび／または１つまたは複数の前記検索意図に対する関連したクエリおよび／または検索意図を決定するステップと、
前記クエリグラフを形成する類似性、人気、新規性、および／または品質を介して前記関連したクエリおよび／または検索意図を構成するステップと
を含むことを特徴とする請求項２２に記載の方法。
【請求項２６】
１つまたは複数の前記検索クエリおよび／または１つまたは複数の前記検索意図に関連する少なくとも１つの検索結果を提供するステップを
さらに含むことを特徴とする請求項２２に記載の方法。
【請求項２７】
クエリセッション情報を使用して、前記クエリグラフを導き出すことを助けるステップをさらに含むことを特徴とする請求項２２に記載の方法。
【請求項２８】
直接のプリファランスおよび／または導き出されるプリファランスを含むユーザプリファランスを利用して、前記クエリグラフを導き出すことを助けるステップをさらに含むことを特徴とする請求項２２に記載の方法。
【請求項２９】
ロケーションを利用して、前記クエリグラフを導き出すことを助けるステップをさらに含むことを特徴とする請求項２２に記載の方法。
【請求項３０】
システムおよび／またはユーザ入力が提供する排他的なクエリおよび／または検索意図を使用して前記クエリグラフを導き出すことを助けるステップをさらに含むことを特徴とする請求項２２に記載の方法。
【請求項３１】
ユーザが前記クエリグラフと相互作用することを助けるユーザインターフェースを提供するステップをさらに含むことを特徴とする請求項２２に記載の方法。
【請求項３２】
ビューから少なくとも１つのエッジを除外するクエリグラフをユーザに伝達するステップをさらに含むことを特徴とする請求項３１に記載の方法。
【請求項３３】
少なくとも１つのクエリのリストとしてクエリグラフをユーザに伝達するステップをさらに含むことを特徴とする請求項３１に記載の方法。
【請求項３４】
前記ユーザインターフェースを介して少なくとも１つの可聴インジケータおよび／または可視インジケータを使用して、情報をユーザに伝達することを助けるステップをさらに含むことを特徴とする請求項３１に記載の方法。
【請求項３５】
前記可視インジケータは、前記クエリグラフの少なくとも１つのノードを表す少なくとも１つのグラフィックイメージを含むことを特徴とする請求項３４に記載の方法。
【請求項３６】
前記可視インジケータは、前記クエリグラフに適用されるオーバーレイを含むことを特徴とする請求項３４に記載の方法。
【請求項３７】
前記可視インジケータは、前記クエリグラフの少なくとも１つのエッジを表す関連強度インジケータを含むことを特徴とする請求項３４に記載の方法。
【請求項３８】
前記関連強度インジケータは、カラーインジケータ、線幅インジケータ、および／または破線インジケータを含むことを特徴とする請求項３７に記載の方法。
【請求項３９】
前記ユーザインターフェースを介して、クエリグラフのノードおよび／またはエッジ上でホバリングするステップ、クエリグラフのノードおよび／またはエッジ上でポインティングデバイスをクリックするステップ、クエリグラフのノードおよび／またはエッジを可視的に指示するステップ、および／またはクエリグラフのノードおよび／またはエッジを可聴的に指示するステップを含むユーザ選択を入力するステップを
さらに含むことを特徴とする請求項３１に記載の方法。
【請求項４０】
ユーザ選択に応答して、クエリグラフおよび／またはクエリ結果リストを動的に導き出すステップをさらに含むことを特徴とする請求項３９に記載の方法。
【請求項４１】
ユーザ選択に応答して、クエリおよび／または検索意図に関連するドキュメントおよび／またはウェブページに対するアクセスを提供するステップをさらに含むことを特徴とする請求項３９に記載の方法。
【請求項４２】
ユーザ入力に応答して、いくつかの伝達されるクエリおよび／または検索意図を調整するステップをさらに含むことを特徴とする請求項３１に記載の方法。
【請求項４３】
検索を実行するシステムであって、
少なくとも１つの検索クエリおよび／または少なくとも１つの検索意図を受信する手段と、
１つまたは複数の前記クエリおよび／または１つまたは複数の前記検索意図に関連する結果を取得し、自動的に導き出されるクエリグラフを提供する手段と
を備えることを特徴とするシステム。
【請求項４４】
請求項１に記載のシステムのコンピュータ実行可能コンポーネントを記憶していることを特徴とするコンピュータ読取り可能媒体。
【請求項４５】
コンピュータ、サーバ、およびハンドヘルド電子デバイスからなる群から選択される少なくとも１つを含む、請求項２２に記載の方法を使用することを特徴とするデバイス。
【請求項４６】
コンピュータ、サーバ、およびハンドヘルド電子デバイスからなる群から選択される少なくとも１つを含む、請求項１に記載のシステムを使用することを特徴とするデバイス。